(57)【特許請求の範囲】
【請求項１】
ウエブ状包材を筒状包材に成形しながら繰出し、前記筒状包材に対する横シールの形成と内容物の充填とを交互に行い、前記筒状包材を前記横シールの部位にて切断して、袋を製造する縦形製袋充填包装機において、
前記横シールを形成する開閉可能な横シーラの上側に設けられ、前記横シールの形成前に、前記筒状包材にその左右両側からそれぞれ突き入れられ、前記筒状包材の両側部に垂直ガセットを形成する左右の垂直ガセット折り部材と、
前記横シールの形成時、前記横シーラと前記垂直ガセット折り部材との間に配置され、前記袋の底を角底とする底部三角ガセットの内側境界を確定すべく前記筒状包材の両側部を左右一対ずつのシール突条間にてそれぞれ挟み込み、前記筒状包材の内面同士を互いにヒートシールにより密着させる開閉可能な三角シーラと、
前記筒状包材内に設けられ、前記横シーラの閉作動時にはそれらの間隔が拡開状態から前記横シーラの閉作動方向に狭められて閉状態になる一方、前記横シーラの開作動時には前記筒状包材に前記底部三角ガセットを有した角底を形成すべく前記閉状態から前記拡開状態に復帰する一対の拡開ガイドと
を具備し、
前記閉状態にて、前記一対の拡開ガイドは前記三角シーラの上面よりも下方に位置付けられ且つ対応する側のシール突条間に入り込む下端を有することを特徴とするガセット角底袋の縦形製袋充填包装機。
【請求項２】
前記拡開ガイドは、板ばねであることを特徴とする請求項１に記載のガセット角底袋の縦形製袋充填包装機。
【請求項３】
前記横シールの形成時、前記筒状包材の外側から前記一対の拡開ガイドの下端を前記拡開ガイドの弾性変形を伴いながら前記筒状包材を介して押圧し、一対の拡開ガイドの下端を互いに近接させる一対の押圧部材を更に備えることを特徴とする請求項２に記載のガセット角底袋の縦形製袋充填包装機。
【請求項４】
前記横シーラはその開閉動作を行うべく互いに接離する一対のメインヒータブロックを有し、
前記三角シーラは、前記各メインヒータブロックにそれぞれ取付けられ、前記横シーラの前記開閉作動に連動して互いに接離する一対のサブヒータブロックと、メインヒータブロックに対するサブヒータブロックの位置決め調整を可能にする位置調整手段とを含むことを特徴とする請求項１〜３の何れかに記載のガセット角底袋の縦形製袋充填包装機。
【請求項５】
ウエブ状包材から成形された筒状包材の繰出し過程にて、前記筒状包材に対する横シールの形成と前内容物の充填とを交互に行い、前記筒状包材を前記横シールの部位にて切断して、袋を製造する縦型製袋充填包装方法において、
前記横シールの形成前に前記筒状包材の左右両側に垂直ガセットを形成し、
前記横シールの形成時、前記袋の底を角底とする底部三角ガセットの内側境界を確定すべく前記筒状包材の両側部を三角シーラに設けられた左右一対ずつのシール突条間にてそれぞれ挟み込み、前記筒状包材の内面同士を互いヒートシールにより密着させたシール域を形成し、
横シールの形成後、前記筒状包材に前記底部三角ガセットを有した角底を形成すべく、前記筒状包材内にて互いの間隔が狭められた閉状態にある一対の拡開ガイドを前記横シールと交差する方向に互いに離間した拡開状態にして前記シール域よりも上側の前記筒状包材の部位を拡張させ、
一方、前記閉状態にて、前記一対の拡開ガイドの下端を前記三角シーラの上面よりも下方に位置付け、対応する側のシール突条間に入り込ませることを特徴とするガセット角底袋の製造方法。
【発明の詳細な説明】
【技術分野】
【０００１】
本発明は、その底が四角形状をなすガセット角底袋を製造するための縦形製袋充填包装機及びその製造方法に関する。
【背景技術】
【０００２】
この種のガセット角底袋の縦形製袋充填包装機は、横シールの形成時、筒状包材に対して左右両側からそれぞれ押し込められる一対の角底用三角ガセット爪を備え、これら角底用三角ガセット爪は横シールの直上にて、筒状包材に製造すべき袋の底を角底とする左右一対の底部三角ガセットを形成する（特許文献１）。
【特許文献１】特開平10-59308号公報
【発明の開示】
【発明が解決しようとする課題】
【０００３】
上述した特許文献１の包装機の場合、袋の底を角底とするための底部三角ガセットが横シーラの直上にて横シールと同時に形成されることから、底部三角ガセットを形成する包材の内面同士が横シーラからの熱を受けることで互いにヒートシールにより密着し、この後、内容物の充填が行われても、底部三角ガセット内への内容物の侵入を阻止できるものと期待されている。具体的には、内容物が粉粒物である場合にはその粉粒物、また、内容物が砕け易い場合には内容物の細かな破片の侵入が阻止される。
【０００４】
しかしながら、底部三角ガセットに対するヒートシールの過溶着や横シーラのヒータブロックによる擦れを防止するためには、底部三角ガセットと横シーラとの間に所定の隙間を必ず確保しなければならず、また、底部三角ガセットは横シーラと角底用三角ガセット爪との間にて挟み込まれるものでもない。
このため、底部三角ガセットに対するシール熱やシール圧の付与が不足し、下側部分での内面同士の溶着が不完全になることがある。このような場合、底部三角ガセット内への上述した粉粒物や破片の侵入を避けることができず、綺麗な角底の形成が不能となる。
【０００５】
本発明は上述の事情に基づいてなされたもので、その目的とするところは、角底を形成する底部三角ガセット内への内容物の侵入を確実に防止し、綺麗な角底のガセット角底袋を製造できる縦形製袋充填包装機及びその製造方法を提供することにある。
【課題を解決するための手段】
【０００６】
上述の目的を達成するため、本発明のガセット角底袋の縦形製袋充填包装機は、ウエブ状包材を筒状包材に成形しながら繰出し、筒状包材に対する横シールの形成と内容物の充填とを交互に行い、筒状包材を横シールの部位にて切断して、袋を製造する縦形製袋充填包装機において、横シールを形成する開閉可能な横シーラの上側に設けられ、横シールの形成前に、筒状包材にその左右両側からそれぞれ突き入れられ、横シールよりも上側にて筒状包材の両側部に垂直ガセットを形成する左右の垂直ガセット折り部材と、横シールの形成時、横シーラと垂直ガセット折り部材との間に配置され、袋の底を角底とする底部三角ガセットの内側境界を確定すべく筒状部材の両側部を左右一対ずつのシール突条間にてそれぞれ挟み込み、筒状包材の内面同士を互いにヒートシールにより密着させる開閉可能な三角シーラと、筒状包材内に設けられ、横シーラの閉作動時にはそれらの間隔が拡開状態から横シーラの閉作動方向に狭められて閉状態になる一方、横シーラの開作動時には筒状包材に底部三角ガセットを有した角底を形成すべく閉状態から拡開状態に復帰する一対の拡開ガイドとを備え、閉状態にて、一対の拡開ガイドは三角シーラの上面よりも下方に位置付けられ且つ対応する側のシール突条間に入り込む下端を有する（請求項１）。
【０００７】
上述した請求項１の包装機によれば、筒状包材への横シールの形成と同時に、三角シーラは底部三角ガセットの内側境界を確定すべく筒状包材の内面同士を互いにヒートシールにより密着させる。この際、一対の拡開ガイドの間隔は拡開状態から横シーラの閉作動方向に狭められ、拡開ガイドが横シールの形成に干渉することはない。この後、横シーラの開作動時、三角シーラのシール面よりも上側の筒状包材の部位は一対の拡開ガイドが拡開状態に復帰することで、拡開ガイドにより広げられ、製造すべくガセット角底袋のための角底が筒状包材に形成され、この角底の形成に引き続いて筒状包材内に内容物が充填される。
【０００８】
具体的には、上述の拡開ガイドは板ばねからなる（請求項２）。この場合、一対の拡開ガイドは横シーラの閉作動時、筒状包材により押圧されて弾性変形し、これにより、一対の拡開ガイドにおける下端間の間隔が拡開状態から狭められる。そして、この後、横シーラの開作動時、一対の拡開ガイドは復元力により、それらの下端間の間隔を元の拡開状態に復帰させ、筒状包材に底部三角ガセットを有した角底を形成する。
【０００９】
更に、拡開ガイドが板ばねである場合、包装機は一対の押圧部材を更に備えることができ、これら押圧部材は、横シールの形成時、筒状包材の外側から一対の拡開ガイドの下端を押圧し、これら拡開ガイドを弾性変形させることで、一対の拡開ガイドの下端を互いに近接させる（請求項３）。
上述した一対の押圧部材は筒状包材の強さに拘わりなく、各拡開ガイドを拡開状態から弾性変形させることができ、弾性力の強い拡開ガイドの使用が可能となる。それ故、一対の拡開ガイドが元の拡開状態に復帰する際、拡開ガイドはその強力な復元力によって筒状包材を確実に拡張させ、緊張状態の角底を形成する。
【００１０】
上述した横シーラはその開閉動作を行うべく互いに接離する一対のメインヒータブロックを有しており、この場合、三角シーラは、各メインヒータブロックにそれぞれ取付けられ、横シーラの開閉作動に連動して互いに接離する一対のサブヒータブロックと、メインヒータブロックに対するサブヒータブロックの位置決め調整を可能にする位置調整手段を含んでいる（請求項４）。
【００１１】
上述の三角シーラは横シーラの開閉作動に連動して開閉し、そして、メインヒータブロックに対するサブヒータブロックの位置決め調整がなされることで、三角シーラの閉作動時、一対のサブヒータブロック間に適切な間隔が確保される。
本発明は、請求項１の包装機により実施されるガセット角底袋の製造方法（請求項５）をも提供し、この製造方法は請求項１の包装機と同様な作用を発揮する。
【発明の効果】
【００１２】
請求項１，５のガセット角底袋の縦形製袋充填包装機及びその製造方法は、内容物の充填に先立ち、角底を形成する底部三角ガセットの内側境界がヒートシールにより密着して確定されているから、この後、筒状包材に対する内容物の充填がなされても、底部三角ガセット内に内容物が侵入することはない。それ故、筒状包材に綺麗な角底を形成でき、ガセット角底袋の自立が可能となる。また、ガセット角底袋内から内容物を取出した際、内容物が底部三角ガセット内に残留することもなく、内容物の完全な取出しが可能となる。
【００１３】
請求項２の一対の拡開ガイドはその開閉が容易であるとともに、ガセット角底袋のサイズ変更にも容易に対応でき、安価な拡開ガイドが得られる。請求項３の押圧部材は復元力が強力な一対の拡開ガイドの使用を許容するから、筒状包材に綺麗な角底を形成でき、不良のガセット角底袋を生じさせることもない。請求項４の三角シーラは自身のための開閉機構を必要とせず、また、横シーラとは独立した位置決め調整が可能であり、前述した底部三角ガセットの前記内側境界を確実に形成することができる。
【発明を実施するための最良の形態】
【００１４】
図１は、一実施例に係わるガセット角底袋のための縦形製袋充填包装機を示す。
包装機は製袋筒２を備え、この製袋筒２内には充填筒４が同心的に配置されている。充填筒４は製袋筒２から上方に突出し、その上端部は内容物の供給を受けるホッパとして形成されている。製袋筒２の上部には製袋筒２を囲繞するようにしてフォーマ６が取付けられ、このフォーマ６は包材Ｆ1の繰出し経路８を介して包材ロールＲに接続されている。ここで、包材Ｆ1はその内面にてヒートシール可能なフィルムからなる。
【００１５】
包材Ｆ1がフォーマ６を通過する際、包材Ｆ1は製袋筒２を囲む筒状に成形され、同時に、その両側縁は所定の形態にて互いに重ね合わされたラップ部を形成し、そして、このような筒状包材Ｆ2は製袋筒２に沿って下方に導かれている。
そして、製袋筒２の外側には製袋筒２を両側から挟み込むようにして一対の包材フィーダ１０が配置され（図１には一方の包材フィーダ１０のみを図示）、これら包材フィーダ１０はサクションベルトタイプであって、筒状包材Ｆ2を吸着しながら製袋筒２に沿って下方に繰出すことができる。
【００１６】
また、製袋筒２の外側にはフォーマ６の直下に縦シーラ１２が配置されている。この縦シーラ１２は製袋筒２に沿って延び、筒状包材Ｆ2が製袋筒２に沿って繰出される過程にて、前述したラップ部をヒートシールし、これにより、筒状包材Ｆ2は完全に閉じた筒状となる。
製袋筒２の下方には開閉可能な横シーラ１４が配置され、この横シーラ１４は一対のメインヒータブロック１６ａ，１６ｂ（図２参照）を有する。これらメインヒータブロック１６ａ，１６ｂは筒状包材Ｆ2を横断する水平方向に延び、製袋筒２の直径方向に互いに接離することで、横シーラ１４の開閉作動が実現される。それ故、横シーラ１４の閉作動時、筒状包材Ｆ2は一対のメインヒータブロック１６ａ，１６ｂ間に挟み込まれ、これらメインヒータブロック１６ａ，１６ｂは筒状包材Ｆ2に横シールを形成する。
【００１７】
更に、メインヒータブロック１６ａ，１６ｂの一方には切断刃（図示しない）が突没可能に収容され、そして、その他方には突出した切断刃を受け入れる溝が形成されている。横シーラ１４が閉位置にあって、横シールの形成が完了した後、切断刃及び溝は互いに協働し、横シールをその上下方向の中央にて切断する。
この後、横シーラ１４が開作動し、メインヒータブロック１６ａ，１６ｂが開位置に位置付けられたとき、前述した筒状包材Ｆ2は製造すべき袋の長さに応じた長さだけ製袋筒２に沿って繰出され、この繰出過程にて、筒状包材Ｆ2内に充填筒４内を通じて所定量の内容物が充填される。
【００１８】
従って、横シーラ１４による横シールの形成、筒状包材Ｆ2の繰出し、そして、内容物の充填が順次行われることで、個々に内容物を充填した袋が製造され、この袋のボトムシール及びトップシールは前述した横シールの切断分離により得られる。
図２は横シーラ１４の開閉機構を具体的に示す。
メインヒータブロック１６ａ，１６ｂは往復動ビーム１８ａ，１８ｂにそれぞれ取付けられており、これら往復動ビーム１８ａ，１８ｂは横シーラ１４の開閉方向に互いに離間している。一方の往復動ビーム１８ａはその両端部にて一対の駆動ロッド２０に取付けられており、これら駆動ロッド２０は横シーラ１４の開閉方向に互い平行に延び、他方の往復動ビーム１８ｂの両端部を相対的に摺動自在に貫通した後、駆動ビーム２２に結合されている。なお、一対の駆動ロッド２０は支持枠２４を摺動自在に貫通することで支持枠２４に支持されており、この支持枠２４は包装機のメインフレームに取付けられている。
【００１９】
駆動ビーム２２と往復動ビーム１８ｂとは左右一対のクランク機構２６を介して相互に連結されている。これらクランク機構２６は、支持枠２４に配置されたモータの駆動力を受けて作動し、往復動ビーム１８ｂを駆動ビーム２０に沿って往復動させる一方、往復動ビーム１８ａを駆動ビーム２２及び一対の駆動ロッド２０を介して往復動させる。この結果、メインヒータブロック１６ａ，１６ｂは互いに接離する方向に往復動し、これにより、横シーラ１４の開閉作動が実施される。
【００２０】
本実施例の包装機は、ガセット角筒袋を製造するものであるため、前述した袋をガセット角筒袋に成形するための構成を含んでおり、この構成について、以下に詳述する。
先ず、図１から明らかなように横シーラ１４の近傍には、一対の垂直ガセット折りユニット２８ａ，２８ｂが横シーラ１４の左右両側にそれぞれ配置されている。各垂直ガセット折りユニット２８は、上下のガセット折り板３０ａ，３０ｂ（図３参照）を有し、これらガセット折り板３０ａ，３０ｂは横シーラ１４の上下にそれぞれ位置付けられ、筒状包材Ｆ2に対して一緒に接離する。各垂直ガセット折りユニット２８において、上下のガセット折り板３０ａ，３０ｂを接離させる接離機構は同一であるので、以下には、一方の垂直ガセット折りユニット２８の接離機構について説明する。
【００２１】
図２及び図３から明らかなように、上下のガセット折り板３０ａ，３０ｂは上下の支持部材３２ａ，３２ｂの先端にそれぞれ取付けられている。これら支持部材３２ａ，３２ｂは前述した駆動ロッド２０の上下に配置されているとともに、後端にて相互に連結され、そして、前述した支持枠２４に筒状包材Ｆ2に対する接離方向に摺動自在に支持されている。そして、支持枠２４にはエアシリンダ３４が取付けられており、このエアシリンダ３４は支持部材３２ａ，３２ｂ、即ち、上下のガセット折り板３０ａ，３０ｂを筒状包材Ｆ2に対して接離させる。
【００２２】
更に、上側の支持部材３２ａの上面にはその後端にローラ状のカムフォロア３６が取付けられており、一方、前述した横シーラ１４の往復動ビーム１８ｂからはカムバー３８がカムフォロア３６に向けて延び、カムバー３８はカムフォロア３６側の面にカム面３８ａを有する。このカム面３８ａは横シーラ１４が図２に示す開位置にあるとき、その先端にてカムフォロア３６に接触し、そして、横シーラ１４の往復動ビーム１８ａに向かいカムフォロア３６から徐々に離間していくような傾斜面として形成されている。
【００２３】
それ故、前述したエアシリンダ３４が筒状包材Ｆ2に向け、上下のガセット折り板３０ａ，３０ｂを近接移動させるべく作動されようとしても、横シーラ１４が図２に示す開位置にある限り、上下のガセット折り板３０ａ，３０ｂの近接移動はカムフォロア３６とカムバー３８との接触により阻止される。
しかしながら、横シーラ１４の閉作動時、往復動ビーム１８ｂがそのカムバー３８を伴い、筒状包材Ｆ2に向けて移動されると、カムバー３８のカム面３８ａはエアシリンダ３４の作動による上下のガセット折り板３０ａ，３０ｂの近接移動を許容し、これにより、上下のガセット折り板３０ａ，３０ｂは横シーラ１４が閉位置に達する前に、筒状包材Ｆ2の側面を押込み、筒状包材Ｆ2の両側面に垂直ガセットをそれぞれ形成する。
【００２４】
再度、図１を参照すれば明らかなように、製袋筒２の下端部はその外周が角筒状に形成されており、それ故、筒状包材Ｆ2が製袋筒２の下端から抜け出る際、筒状包材Ｆ2は角筒状に成形される。
そして、製袋筒２には一対の拡開ガイド４０が取付けられており、これら拡開ガイド４０は製袋筒２の下端から横シーラ１４に向けて垂下されている。より詳しくは、一対の拡開ガイド４０は横シーラ１４の開閉方向に離間した板ばねからなり、前述した角筒状の筒状包材Ｆ2内に位置し、且つ、横シーラ１４の開閉方向に離間した筒状包材Ｆ2 の前後の内面をそれぞれ案内する。また、一対の拡開ガイド４０はそれらの下端間の間隔を狭めるべく弾性変形可能であり、この際、一対の拡開ガイド４０の下端は、製袋筒２の下方で且つ製袋筒２の横断面でみたとき、その中央部にて互いに近接する。
【００２５】
一方、一対の拡開ガイド４０の下端と横シーラ１４との間には三角シーラ４２が配置されており、この三角シーラ４２は一対のサブヒータブロック４４ａ，４４ｂを有する。図４から明らかなようにサブヒータブロック４４ａ，４４ｂはメインヒータブロック１６ａ，１６ｂの上面にそれぞれ取付けられることで互いに対向し、メインヒータブロック１６ａ，１６ｂとともに筒状包材Ｆ2に対して接離する。
【００２６】
より詳しくは、図５に示されるように、各サブヒータブロック４４はその対向面の両端部にシール突条４６をそれぞれ有しており、これらシール突条４６は上下が逆のハ字状に配置されている。前述した横シールの形成時、サブヒータブロック４４ａの一対のシール突条４６はサブヒータブロック４４ｂ側の対応するシール突条４６との間にて、筒状包材Ｆ2をそれぞれ挟み込み、この筒状包材Ｆ2の左右両側部に一対のシール域、本実施例の場合には一対の斜めシールを形成する。即ち、筒状包材Ｆ2を挟み込むシール突条４６の挟持面は斜めシールを形成するためのシール面として形成されている（図７参照）。そして、上述の斜めシールは横シールの上側に位置付けられ、シール突条４６と同様な逆ハ字状をなす。なお、斜めシールの詳細は後述の説明からより明らかになる。
【００２７】
更に、図４に示されるように、各サブヒータブロック４４はそのメインヒータブロック１６に対し、横シーラ１４の開閉方向に移動自在に取付けられ、そして、位置調整機構４７により位置決めされている。位置決め調整機構４７は、サブヒータブロック４４と往復動ビーム１８との間に設けられ、メインヒータブロック１６に対してサブヒータブロック４４を横シーラ１４の開閉方向に進退させ、その位置を調整可能な一対の調整ねじ４８（図２参照）と、この調整後、メインヒータブロック１６にサブヒータブロック４４を固定する一対の固定ねじ５０（図２参照）とを含む。
【００２８】
上述したサブヒータブロック４４の位置決め調整が位置決め調整機構４７によって可能であれば、横シールの形成時、つまり、横シーラ１４が閉位置にあるとき、互いに協働して斜めシールを形成するシール突条４６間の間隔を適切に設定することができる。
更にまた、各サブヒータブロック４４の上面には板状をなす押圧部材５２がそれぞれ設けられており、これら押圧部材５２は前述した拡開ガイド４０における下端とほぼ同一の高さ位置に配置されている。
【００２９】
なお、図４にはエアノズル５４もまた併せて示されており、このエアノズル５４は横シーラ１４の下方に配置され、その機能については後述する。
次に、上述した包装機によるガセット角底袋の製造方法について、図６〜図１０を追加して説明する。
横シーラ１４が開位置から閉作動したとき、メインヒータブロック１６ａ，１６ｂ間にて筒状包材Ｆ2が挟み込まれる前に、前述の各押圧部材５２は筒状包材Ｆ2を介し、対応する側の拡開ガイド４０の下端に当接し、一対の拡開ガイド４０を押圧する。それ故、図４中、２点鎖線で示されるように一対の拡開ガイド４０は弾性変形し、それらの下端間の間隔が狭められる。それ故、横シーラ１４の閉作動を受け、筒状包材Ｆ2に横シールが形成されるとき、一対の拡開ガイド４０が横シーラ１４の閉作動を阻害することはなく、一対のメインヒータブロック１６ａ，１６ｂ間への筒状包材Ｆ2の挟み込み、つまり、横シールの形成を確実に行うことができる。
【００３０】
なお、筒状包材Ｆ2が十分な強度を有し、筒状包材Ｆ2自身により一対の拡開ガイド４０の弾性変形が可能であるならば、前述した押圧部材５２を省略することも可能である。
一方、横シーラ１４が閉作動すると、前述した一対の垂直ガセット折りユニット２８ａ，２８ｂの上下のガセット折り板３０ａ，３０ｂは筒状包材Ｆ2に向けて前進され、これらガセット折り板３０ａ，３０ｂは横シーラ１４が閉位置に達する前に、図６に示される如く、筒状包材Ｆ2の左右の側面（横シーラ１４の開閉方向に対して交差する面）を押込み、筒状包材Ｆ2の左右に垂直ガセットをそれぞれ形成する。
【００３１】
ここで、上のガセット折り板３０ａによる垂直ガセットの形成は、上のガセット折り板３０ａが前述した一対の拡開ガイド４０間に侵入するようにして実施され、上のガセット折り板３０ａの侵入が拡開ガイド４０に阻害されることはない。
この後、横シールの形成と同時に、前述した三角シーラ４２の一対のサブヒータブロック４４ａ，４４ｂはシール突条４６間にて、左右上側の垂直ガセットを横シーラ１４の直上にて部分的に斜めに挟み込み、各上側の垂直ガセットの下部に前述した斜めシールを形成する。
【００３２】
ここで、図７に図６の一部を拡大して示すように、拡開ガイド４０の下端は三角シーラ４２におけるサブヒータブロック４４の上面よりも下側に位置付けられ、そのサブヒータブロック４４の一対のシール突条４６間に入り込んでいる。また、図７中、シール突条４６に施した斜線域は斜めシールの形成に実際に使用されるシール面を示している。即ち、拡開ガイド４０の下端は三角シーラ４２のシール面より上方に配置されている。
【００３３】
なお、横シーラ１４が閉位置に位置付けられた後、上下のガセット折り板３０ａ，３０ｂはエアシリンダ３４の復動を受けて筒状包材Ｆ2から退避し、これに対し、横シーラ１４は横シールの形成に要するシール時間の経過後、開作動する。
図８（ａ）中、横シール及び一対の斜めシールは参照符号Ｓy、Ｓkによりそれぞれ示されており、また、図８（ａ）は横シールＳy及び斜めシールＳkが上下のガセット折り板３０ａ，３０ｂ間に形成され、そして、斜めシールＳkの形成時、図８（ｂ）は拡開ガイド４０が閉じていることを明瞭に示している。なお、図８（ａ）は図８（ｃ）中、ａ−ａ線に沿う断面図であって、図８（ｃ）に示した参照符号Ｓtは前述した縦シーラ１２により形成された縦シールを示す。
【００３４】
更に、図８（ａ）中、参照部号ＣＬは横シーラ１４による筒状包材Ｆ2の切断ラインを示し、切断ラインＣＬは横シールＳyを前述したように袋のトップシールＴＳ及びボトムシールＢＳを形成する。
より詳しくは、図８（ａ）は各斜めシールＳkが横シールＳyから筒状包材Ｆ2の対応する側の側縁まで斜めに延びていることを示しているが、ここで、斜めシールＳkは垂直ガセット、つまり、図８（ｂ），（ｃ）から明らかなように上下のガセット折り板３０ａ，３０ｂの押込みにより、筒状包材Ｆ2の側面を２つ折りにするような折込み部位に形成されることから、左右の斜めシールＳkはその折込み部位の内面同士をそれぞれ溶着したものとなる。即ち、左右の斜めシールＳkは互いに重なり合うようにして２つずつ形成されている。
【００３５】
この後、横シールＳyがボトムシールＢＳ及びトップシールＴＳに切断され、そして、図８（ｂ）に示す横シーラ１４の閉位置から横シーラ１４が一対の押圧部材５２を伴って開作動すると、この開作動に伴い、前述した押圧部材５２により一対の拡開ガイド４０の押圧が解放される。それ故、一対の拡開ガイド４０は復元力により、それらの下端間の間隔を広げることから、図９に示されるように筒状包材Ｆ2の前後面はボトムシールＢＳの上側にて一対の拡開ガイド４０により拡開され、ここでの拡開は筒状包材Ｆ2のボトムシールＢＳの上側を角底ＲＢに形成する。
【００３６】
ここで、横シールの形成時、図７に示したように拡開ガイド４０の下端が三角シーラ４２におけるシール突条４６のシール面、即ち、シール突条４６により形成される斜めシールＳkに対してより近接して位置付けられていれば、一対の拡開ガイド４０の開作動は筒状包材Ｆ2の拡開を確実に行え、角底ＲＢにおける角部の輪郭を明確にすることができる。
【００３７】
具体的には、図１０（ａ），（ｂ）から明らかなように、角底ＲＢは、矩形の内側部分ＲＢiと、この内側部分ＲＢiの両側部下側にそれぞれ重なり合う三角形の底部三角ガセットＢＧとからなり、前述した傾めシールＳkは、角底ＲＢにおける底部三角ガセットＢＧと内側部分ＲＢiとの間の内側境界を明瞭に確定する。
図１０（ａ）中、底部三角ガセットＢＧと、底部三角ガセットＢＧに重なり合う内側部分ＲＢiの部位ＲＢigにはこれらの識別を容易にするために互いに異なる向きにハッチングが施されており、また、同様な理由から、図８（ａ）にあっても底部三角ガセットＢＧ及び内側部分ＲＢiの部位ＲＢigとなる部分にそれぞれハッチングが施されている。
【００３８】
この後、筒状包材Ｆ2の繰出し及び内容物の充填を経て、前述した横シールＳy及び斜めシールＳkの形成及び横シールＳyの切断が行われることで、その内部に内容物を充填したガセット角底袋Ｐが製造され、このガセット角底袋Ｐを図１１に示す。内容物の充填の際、底部三角ガセットＢＧは筒状包材Ｆ2の内部に対して斜めシールＳkにより分離されているから、内容物が底部三角ガセットＢＧ内に侵入することはない。
【００３９】
ここで、横シーラ１４が閉位置から開作動するに先立ち、前述したエアノズル５４（図４参照）は、横シーラ１４から垂下した状態にある切断分離前のガセット角底袋ＰのボトムシールＢＳに向けて圧縮空気を噴出し、この圧縮空気はボトムシールＢＳを角底ＲＢに向けて折り込む。それ故、ガセット角底袋Ｐが横シーラ１４から図示しないシュート上に落下したとき、ボトムシールＢＳは角底ＲＢの底面に重ね合わされる。
【００４０】
本発明は、上述した一実施例に制約されるものではなく種々の変形が可能である。
例えば、前述した三角シーラ４２は線状の傾めシールＳkに代えて、横シールＳyの両側部上側にて垂直ガセットを三角形状にヒートシールするものであってもよいし、また、横シーラ１４の閉作動に伴い、一対の拡開ガイド４０が筒状包材Ｆ2自体により、それらの下端間の間隔を狭めるべく弾性変形可能であれば、一対の押圧部材５２は不要である。
【図面の簡単な説明】
【００４２】
【図１】一実施例の包装機を示す概略斜視図である。
【図２】図１の横シーラをより具体的に示す平面図である。
【図３】図１の垂直ガセット折りユニットを概略的に示し正面図である。
【図４】図１の一対の拡開ガイドを示した側面図である。
【図５】図４のサブヒータブロックを拡大して示す斜視図である。
【図６】図１の垂直ガセット折りユニットの作動状態を示した図である。
【図７】図６中の一部を拡大して示す図である。
【図８】筒状包材への横シール及び斜めシールの形成をより詳細に示し、（ａ）は横シールに対する斜めシールの配置、（ｂ）は閉位置にある横シーラ及び三角シーラ、（ｃ）は筒状包材の横断面をそれぞれ示す。
【図９】横シーラの開作動時、一対の拡開ガイドにより筒状包材が拡開した状態を示す図である。
【図１０】角底の詳細を示し、（ａ）は角底の一側部を拡大して示す斜視図、（ｂ）は角底の断面図である。
【図１１】ガセット角底袋を示し、（ａ）はその正面図、（ｂ）はその側面図、（ｃ）はその底面図である。
【符号の説明】
【００４３】
２              製袋筒
４              充填筒
１０            包材フィーダ
１２            縦シーラ
１４            横シーラ
１６ａ，１６ｂ  メインヒータブロック
２８ａ，２８ｂ  垂直ガセット折りユニット
３０ａ          上のガセット折り板（垂直ガセット折り部材）
３０ｂ          下のガセット折り板（垂直ガセット折り部材）
４０            拡開ガイド
４２            三角シーラ
４４ａ，４４ｂ  サブヒータブロック
４６            シール突条
４７            位置決め調整機構（位置決め調整手段）
５２            押圧部材
Ｆ2             筒状包材
ＢＧ            底部三角ガセット
Ｐ              ガセット角底袋
Ｓk             斜めシール（シール域）
ＲＢ            角底
ＲＢi           角底の内側部分
ＲＢig          内側部分の部位（底部三角ガセットに対応する部位）
【図１】
0005072515.tif 000002
【図２】
0005072515.tif 000003
【図３】
0005072515.tif 000004
【図４】
0005072515.tif 000005
【図５】
0005072515.tif 000006
【図６】
0005072515.tif 000007
【図７】
0005072515.tif 000008
【図８】
0005072515.tif 000009
【図９】
0005072515.tif 000010
【図１０】
0005072515.tif 000011
【図１１】
0005072515.tif 000012